(57)【特許請求の範囲】
【請求項１】
海水に浮いて魚を蝟集する構成を有する魚礁本体と、
前記魚礁本体から下方に延びるように当該魚礁本体の下部に取り付けられた下方向索と、
前記下方向索の下端部に取り付けられ、海底に配置されることにより前記下方向索を介して前記魚礁本体を当該海底に係留する下側アンカーと、
第１端部と第２端部とを有する長尺の線状部材であり、前記魚礁本体から側方に離れる方向に延びるように、前記第１端部が前記魚礁本体における側面に取り付けられた複数の横方向索と、
各々の前記横方向索の前記第２端部に取り付けられ、前記海底における前記下側アンカーに対して水平方向に離間した位置に配置されることにより前記横方向索を介して前記魚礁本体を前記海底に係留する横側アンカーと、
前記横方向索における前記第１端部と前記第２端部との間の部位に浮力を与える浮力付与部とを備えており、
前記複数の横方向索のそれぞれの前記第１端部は、前記魚礁本体の前記側面において当該第１端部同士が互いに水平方向に離間した位置に配置され、
前記浮力付与部は、複数のフロート体を備えており、
前記浮力付与部は、前記複数のフロート体が前記横方向索の延びる方向に沿って並び、かつ、各フロート体が前記横方向索に個別に取り付けられている、
浮魚礁。
【請求項２】
前記複数の横方向索は、前記魚礁本体における側面のうち互いに対向する部分にそれぞれ取り付けられた一対の横方向索を含む、
請求項１に記載の浮魚礁。
【請求項３】
前記一対の横方向索は、前記海中の潮の流れの方向に対する水平方向の傾斜角が±４５度以内の方向で延びるように配置されている、請求項２に記載の浮魚礁。
【請求項４】
前記浮力付与部は、前記横方向索において、当該浮力付与部から前記魚礁本体までの距離が当該浮力付与部から前記海底までの距離の２倍以上になるような位置に配置されている、
請求項１〜３のいずれか１項に記載の浮魚礁。
【請求項５】
前記横方向索を前記魚礁本体に連結する連結部をさらに備えており、
前記連結部は、複数の連結索を備えており、
前記複数の連結索のそれぞれは、前記横方向索と前記魚礁本体とを連結し、
前記複数の連結索のそれぞれにおける前記魚礁本体に対する取付位置は、互いに水平方向に離れている、
請求項１〜４のいずれか１項に記載の浮魚礁。
【請求項６】
前記横方向索は、前記魚礁本体の側面のうち当該魚礁本体の高さ方向における中間位置よりも上の部分に取り付けられている、
請求項１〜５のいずれか１項に記載の浮魚礁。
【請求項７】
海水に浮いて魚を蝟集する構成を有する魚礁本体と、前記魚礁本体から下方に延びるように当該魚礁本体の下部に取り付けられた下方向索と、前記下方向索の下端部に取り付けられ、海底に配置されることにより前記下方向索を介して前記魚礁本体を当該海底に係留する下側アンカーと、第１端部と第２端部とを有する長尺の線状部材であり、前記魚礁本体から側方に離れる方向に延びるように、前記第１端部が前記魚礁本体における側面に取り付けられた複数の横方向索と、各々の前記横方向索の前記第２端部に取り付けられ、前記海底における前記下側アンカーに対して水平方向に離間した位置に配置されることにより前記横方向索を介して前記魚礁本体を前記海底に係留する横側アンカーと、前記横方向索における前記第１端部と前記第２端部との間の部位に浮力を与える浮力付与部とを備えており、前記複数の横方向索のそれぞれの前記第１端部は、前記魚礁本体の前記側面において当該第１端部同士が互いに水平方向に離間した位置に配置されている浮魚礁を海中から回収する方法であって、
海中で前記横方向索を前記第１端部と前記第２端部との間で切断する工程と、
切断された前記横方向索のうち前記横側アンカーに取り付けられた部分を用いて、前記横側アンカーを海中から引き上げる工程と、
切断された前記横方向索のうち前記魚礁本体に取り付けられた部分を用いて、前記魚礁本体および前記下側アンカーを引き上げる工程とを含む、
ことを特徴とする、浮魚礁の回収方法。
【請求項８】
前記横方向索を切断する前に、前記横方向索を切断する箇所の両側にそれぞれフロートを取り付ける工程をさらに含む、
請求項７に記載の浮魚礁の回収方法。
【発明の詳細な説明】
【技術分野】
【０００１】
本発明は、魚を蝟集する本体部を海中に浮かして使用される浮魚礁に関する。
【背景技術】
【０００２】
従来、海洋に生息する魚類を蝟集や滞留させるために、魚礁を海中に沈めることが行われる。魚礁には、種々の形態が存在するが、魚を蝟集する本体部を海中に浮かして使用される、いわゆる中層浮魚礁と呼ばれる魚礁が存在する。
【０００３】
この中層浮魚礁は、一般的には、特許文献１に記載されているように、海中に浮いて魚を蝟集する本体部と、海底に着地したアンカーと、当該本体部をアンカーに連結する１本の係留索とを有している。このような浮魚礁では、本体部は、当該本体部の下部に取り付けられた１本の係留索を介してアンカーに連結されることにより、海中の所定の位置および深さに位置決めされ、海中に浮いた状態で魚を蝟集することが可能である。
【先行技術文献】
【特許文献】
【０００４】
【特許文献１】特開平６−１４６７５号公報
【発明の概要】
【発明が解決しようとする課題】
【０００５】
上記のような中層浮魚礁は、本体部が一本の係留索で係留されているため、潮の流れなどによって、本体部が移動しやすく不安定である。そのため、本体部自体が係留索を中心に横方向（水平方向）に回転することにより、係留索に撚れやねじれ（キンク）が生じるおそれがある。その結果、係留索が早期に疲労するおそれがあり、中層浮魚礁を海中で長期安定した使用における信頼性の向上が難しい。
【０００６】
本発明はかかる問題を解消するものであり、海中に浮かぶ本体部の動きを制限し、かつ、係留索の疲労を軽減し安定して長期間使用することが可能な浮魚礁を提供することを目的とする。
【課題を解決するための手段】
【０００７】
本発明者は、浮魚礁の本体部の動きを限定し、かつ係留索の疲労を軽減するために、鋭意研究を重ねた結果、魚礁本体から下方向に延びる下方向索と当該魚礁本体から側方に延びる複数の横方向索とを組み合わせれば、本体部を多方向から支持することを可能にし、上記の目的を達成できることを見出し、以下の浮魚礁を創作するに至った。
【０００８】
すなわち、本発明の浮魚礁は、海水に浮いて魚を蝟集する構成を有する魚礁本体と、前記魚礁本体から下方に延びるように当該魚礁本体の下部に取り付けられた下方向索と、前記下方向索の下端部に取り付けられ、海底に配置されることにより前記下方向索を介して前記魚礁本体を当該海底に係留する下側アンカーと、第１端部と第２端部とを有する長尺の線状部材であり、前記魚礁本体から側方に離れる方向に延びるように、前記第１端部が前記魚礁本体における側面に取り付けられた複数の横方向索と、各々の前記横方向索の前記第２端部に取り付けられ、前記海底における前記下側アンカーに対して水平方向に離間した位置に配置されることにより前記横方向索を介して前記魚礁本体を前記海底に係留する横側アンカーと、前記横方向索における前記第１端部と前記第２端部との間の部位に浮力を与える浮力付与部とを備えており、前記複数の横方向索のそれぞれの前記第１端部は、前記魚礁本体の前記側面において当該第１端部同士が互いに水平方向に離間した位置に配置され、前記浮力付与部は、複数のフロート体を備えており、前記浮力付与部は、前記複数のフロート体が前記横方向索の延びる方向に沿って並び、かつ、各フロート体が前記横方向索に個別に取り付けられていることを特徴とする。
【０００９】
すなわち、本発明の浮魚礁では、魚礁本体は、その下部に取り付けられた下方向索を介して下側アンカーに係留され、それとともに、当該魚礁本体における側面にそれぞれ取り付けられた複数の横方向索を介して横側アンカーにそれぞれ係留される。複数の横方向索のそれぞれの第１端部は、魚礁本体の側面に取り付けられ、当該第１端部同士は互いに水平方向に離間した位置に配置されている。そのため、魚礁本体は、その下部に取り付けられた下方向索で支持されるだけでなく、当該魚礁本体の側面における複数の位置から複数の横方向索で支持される。その結果、魚礁本体は多方向から支持され、海中に浮かぶ魚礁本体の動きを制限することが可能になる。それにより、魚礁本体における横方向（水平方向）の回転を防ぎ、下方向索の撚れやねじれを防止することが可能である。さらに、下方向索とともに複数の横方向索を用いて魚礁本体を係留することにより、下方向索に作用する負荷を低減することにより当該下方向索の疲労の軽減が可能になる。
【００１０】
そして、このような下方向索および複数の横方向索を介して魚礁本体を係留する構造において、横方向索は、浮力付与部から浮力を受けることによって、魚礁本体と横側アンカーとの間において張力を受けた状態で張り渡されるので、横方向索のたるみを抑制することが可能である。その結果、横方向索と下方向索とがこすれ合ったり、からんだりするおそれがなく、これら下方向索および横方向索が互いに干渉し合うことによる疲労も防ぐことが可能である。その結果、浮魚礁を安定して長期間使用することが可能である。
また、前記浮力付与部は、複数のフロート体を備えており、前記浮力付与部は、前記複数のフロート体が前記横方向索の延びる方向に沿って並び、かつ、各フロート体が前記横方向索に個別に取り付けられている。かかる構成によれば、横方向索は、浮力付与部を構成する複数のフロート体から浮力を分散して受けることが可能になるので、当該浮力が横方向索に対して一点に集中することを防止し、その結果、横方向索のキンクなどの発生することを防ぐことが可能である。
しかも、横方向索のうち複数のフロート体が当該横方向索の延びる方向に沿って並んで取り付けられている部分は、複数のフロート体のそれぞれから浮力を常時受けているので、当該部分の変形の速度は緩やかになる。その結果、浮魚礁全体への衝撃的な外力をこの部分で緩やかに吸収することが可能になる。
【００１１】
前記複数の横方向索は、前記魚礁本体における側面のうち互いに対向する部分にそれぞれ取り付けられた一対の横方向索を含むのが好ましい。
【００１２】
かかる構成によれば、一対の横方向索が魚礁本体の側面における対向する部分の両側から当該魚礁本体を支持することが可能になるので、少ない本数の横方向索によって、魚礁本体における垂直軸周りの横方向（水平方向）の回転を有効に抑え、当該回転に起因する下方向索のねじれを防止することが可能である。つまり、横方向索の本数を抑えながら魚礁本体の回転に起因する下方向索の損傷を抑止できる。
【００１３】
また、前記一対の横方向索は、前記海中の潮の流れの方向に対する水平方向の傾斜角が±４５度以内の方向で延びるように配置されているのが好ましい。
【００１４】
かかる構成によれば、一対の横方向索が潮の流れの影響を受けにくいので、これら横方向索が潮の流れの中で常時安定した配索状態を維持することが可能である。
【００１５】
前記浮力付与部は、前記横方向索において、当該浮力付与部から前記魚礁本体までの距離が当該浮力付与部から前記海底までの距離の２倍以上になるような位置に配置されているのが好ましい。
【００１６】
かかる構成によれば、浮力付与部と魚礁本体との距離を長くするとともに、浮力付与部と横側アンカーが設置された海底との距離を短くすることにより、横側アンカーによって浮力付与部の移動を制限し、さらには浮力付与部によって魚礁本体の回転を制限する。すなわち、浮力付与部は、横側アンカーに近い位置に配置されるので、浮力付与部と横側アンカーとの間の横方向索の部分が短くなり、その結果、浮力付与部が横側アンカー周囲で水平方向に移動可能な範囲が大幅に制限される。そのため、魚礁本体が垂直軸周りに回転しようとした場合に、浮力付与部は魚礁本体に追随して移動する量が大幅に制限され、その結果、魚礁本体は、浮力付与部と魚礁本体との間に張り渡された横方向索の部分によって垂直軸周りの回転を大幅に制限される。また、魚礁本体の回転が大幅に制限されることにより、下方向索と横方向索とが絡むおそれもさらに低減される。
【００２０】
前記横方向索を前記魚礁本体に連結する連結部をさらに備えており、前記連結部は、複数の連結索を備えており、前記複数の連結索のそれぞれは、前記横方向索と前記魚礁本体とを連結し、前記複数の連結索のそれぞれにおける前記魚礁本体に対する取付位置は、互いに水平方向に離れているのが好ましい。
【００２１】
かかる構成によれば、横方向索が魚礁本体を拘束する力は、連結部を構成する複数の連結索を介して魚礁本体に対して互いに水平方向に離れた複数の位置に分散して作用するので、より多くの方向から魚礁本体を支持することが可能になる。その結果、魚礁本体の横方向（水平方向）の回転を抑制する効果をさらに向上させることが可能である。
【００２２】
前記横方向索は、前記魚礁本体の側面のうち当該魚礁本体の高さ方向における中間位置よりも上の部分に取り付けられているのが好ましい。
【００２３】
潮の流れなどによって、魚礁本体は、その下部における下方向索との取付位置を回転中心として揺れようとする場合、魚礁本体の上部は回転中心から離れているので揺れ幅が大きくなるおそれがある。そこで、上記の構成にすれば、魚礁本体の中間位置よりも上に取り付けられた横方向索によって当該魚礁本体の上部の揺れ幅を抑制することが可能である。
【００２４】
上記の浮魚礁を施工する施工方法は、前記魚礁本体の下部に前記下方向索を取り付けるとともに、当該下方向索の下端部に前記下側アンカーを取り付ける工程と、前記浮力付与部が取り付けられた前記複数の横方向索のそれぞれの前記第１端部を、前記魚礁本体の前記側面における当該第１端部同士が互いに水平方向に離間した位置に取り付ける工程と、前記下側アンカーおよび前記魚礁本体を前記下方向索で連結した状態で海中に沈降させ、前記下側アンカーを海底に着地させることにより、前記魚礁本体を海中に浮いた状態で前記下方向索を介して前記下側アンカーに係留する工程と、前記横方向索の第２端部に前記横側アンカーを取り付ける工程と、前記横側アンカーを前記横方向索がつながった状態で海中に沈降させて、前記横側アンカーを前記下側アンカーから水平方向に離れた位置で海底に着地させることにより、前記魚礁本体を前記横方向索を介して前記横側アンカーに係留する工程と、を含むようにしてもよい。
【００２５】
上記の施工方法では、まず、下側アンカーおよび魚礁本体を下方向索で連結した状態で海中に沈降させて、魚礁本体を海中に浮いた状態で下方向索を介して下側アンカーに係留する。そして、横側アンカーを、下側アンカーに対して水平方向に離れた位置に配置するように、海中に沈降させることにより、魚礁本体を横方向索を介して横側アンカーに係留する。このとき、横方向索は、当該横方向索に取り付けられた浮力付与部から浮力を受けることによって、魚礁本体と横側アンカーとの間において、張力を受けた状態で張り渡されるので、海中における横方向索のたるみを抑制することが可能である。これにより、浮魚礁の施工途中および施工後においても、横方向索と下方向索とがこすれ合ったり、からんだりするおそれがない。その結果、浮魚礁の施工後では、海中に浮かぶ魚礁本体の動きを制限しながらも下方向索および横方向索の疲労を軽減することが可能である。
【００２６】
本発明の浮魚礁の回収方法は、海水に浮いて魚を蝟集する構成を有する魚礁本体と、前記魚礁本体から下方に延びるように当該魚礁本体の下部に取り付けられた下方向索と、前記下方向索の下端部に取り付けられ、海底に配置されることにより前記下方向索を介して前記魚礁本体を当該海底に係留する下側アンカーと、第１端部と第２端部とを有する長尺の線状部材であり、前記魚礁本体から側方に離れる方向に延びるように、前記第１端部が前記魚礁本体における側面に取り付けられた複数の横方向索と、各々の前記横方向索の前記第２端部に取り付けられ、前記海底における前記下側アンカーに対して水平方向に離間した位置に配置されることにより前記横方向索を介して前記魚礁本体を前記海底に係留する横側アンカーと、前記横方向索における前記第１端部と前記第２端部との間の部位に浮力を与える浮力付与部とを備えており、前記複数の横方向索のそれぞれの前記第１端部は、前記魚礁本体の前記側面において当該第１端部同士が互いに水平方向に離間した位置に配置されている浮魚礁を海中から回収する方法であって、海中で前記横方向索を前記第１端部と前記第２端部との間で切断する工程と、切断された前記横方向索のうち前記横側アンカーに取り付けられた部分を用いて、前記横側アンカーを海中から引き上げる工程と、切断された前記横方向索のうち前記魚礁本体に取り付けられた部分を用いて、前記魚礁本体および前記下側アンカーを引き上げる工程とを含むことを特徴とする。
【００２７】
かかる特徴によれば、横方向に延びる横方向索を第１端部と第２端部との間で切断し、その切断された横方向索の部分を用いて、横側アンカーを引き上げ、さらに魚礁本体および下側アンカーを同時に引き上げることができる。その結果、浮魚礁の回収の際に横側アンカー、魚礁本体および下側アンカーをそれぞれ引き上げるためにこれら横側アンカー等に別途ロープを取り付ける必要がないので、浮魚礁の回収を容易に行うことが可能である。
【００２８】
前記横方向索を切断する前に、前記横方向索を切断する箇所の両側にそれぞれフロートを取り付ける工程をさらに含むのが好ましい。この場合、切断後の横方向索の端部はフロートが取り付けられているので、横方向索の端部の発見が容易になり、浮魚礁の回収がさらに容易になる。
【発明の効果】
【００２９】
以上説明したように、本発明の浮魚礁によれば、海中に浮かぶ魚礁本体の動きを制限し、かつ、下方向索および横方向索の疲労を軽減し安定して長期間使用することができる。
【００３０】
本発明の浮魚礁の施工方法によれば、浮魚礁の施工途中および施工後においても、横方向索と下方向索とがこすれ合ったり、からんだりするおそれがない。
【００３１】
本発明の浮魚礁の回収方法によれば、浮魚礁の回収の際には横側アンカー、魚礁本体および下側アンカーを引き上げるためにこれら横側アンカー等に別途ロープを取り付ける必要がないので、浮魚礁の回収を容易に行うことが可能である。
【図面の簡単な説明】
【００３２】
【図１】本発明の実施形態に係る浮魚礁を海中に設置した状態を示す斜視説明図である。
【図２】図１の浮魚礁の正面図である。
【図３】図１の浮魚礁の平面図である。
【図４】図１の浮魚礁本体の斜視図である。
【図５】図１の浮魚礁本体の平面図である。
【図６】本発明の実施形態に係る浮魚礁の施工方法を示す概略説明図である。
【図７】本発明の実施形態に係る浮魚礁の施工方法を示す概略説明図である。
【図８】本発明の実施形態に係る浮魚礁の施工方法を示す概略説明図である。
【図９】本発明の実施形態に係る浮魚礁の施工方法を示す概略説明図である。
【図１０】本発明の実施形態に係る浮魚礁の施工方法を示す概略説明図である。
【図１１】本発明の実施形態に係る浮魚礁の回収方法を示す概略説明図である。
【図１２】本発明の実施形態に係る浮魚礁の回収方法を示す概略説明図である。
【図１３】本発明の実施形態に係る浮魚礁の回収方法を示す概略説明図である。
【図１４】本発明の実施形態に係る浮魚礁の回収方法を示す概略説明図である。
【図１５】本発明の実施形態に係る浮魚礁の回収方法を示す概略説明図である。
【図１６】本発明の実施形態に係る浮魚礁の回収方法を示す概略説明図である。
【図１７】本発明の実施形態に係る浮魚礁の回収方法を示す概略説明図である。
【発明を実施するための形態】
【００３３】
以下、図面を参照しながら本発明の浮魚礁の実施形態についてさらに詳細に説明する。
【００３４】
図１〜３に示される浮魚礁１は、魚礁本体２から下方向に延びる下方向索３と当該魚礁本体２から側方に延びる複数の横方向索５とを組み合わせて、魚礁本体２を多方向から支持することにより、魚礁本体２の動きを限定しながら下方向索３の疲労を軽減するものである。
【００３５】
具体的には、浮魚礁１は、魚礁本体２と、当該魚礁本体２の下端部に取り付けられた下方向索３と、一方の端部（第１端部５１が）当該魚礁本体２の側面２８（具体的には対向する部分２８ａ、２８ｂ）に取り付けられた複数（図１〜３では一対）の横方向索５と、下方向索３の下端部に取り付けられた下側アンカー４と、それぞれの横方向索５の他方の端部（第２端部５２）に取り付けられた横側アンカー６と、横方向索５に浮力を与える浮力付与部としてそれぞれの横方向索５の途中に取り付けられた中間フロート７と、下方向索３を魚礁本体２に連結する下側連結部８と、それぞれの横方向索５を魚礁本体２に連結する横側連結部９とを備えている。
【００３６】
魚礁本体２は、海水に浮いて魚を蝟集する構成を有する構成であればいかなる構成であってもよい。例えば、図４〜５に示される魚礁本体２は、多面体の中空体からなる枠体２１と、その枠体２１内部に配置されたフロート収容部２２と、フロート収容部２２の内部に収容された複数のフロート２３とを備えている。
【００３７】
枠体２１は、複数の棒材２１ａと、棒材２１ａ間に配置されたすじかい２１ｂおよびロープ２１ｃとを備えている。複数の棒材２１ａが互いに端部同士が溶接などによって結合することにより、多面体の中空体からなる枠体２１が形成されている。棒材２１ａは、例えば、Ｌ型鋼やＨ型鋼などが用いられる。すじかい２１ｂは、細長い棒鋼などからなり、枠体２１における棒材２１ａの間に対角線上に配置され、枠体２１の補強を行う。ロープ２１ｃは、棒材２１ａの間に水平方向に配索されている。
【００３８】
このように棒材２１ａ、すじかい２１ｂおよびロープ２１ｃによって構成された枠体２１の内部には、魚を蝟集する空間部２６が形成される。空間部２６は、枠体２１の棒材２１ａ間の隙間を通して海中に開放されており、これらの隙間を通して魚が空間部２６内に出入りすることが可能である。
【００３９】
枠体２１は、多面体形状を有する中空体であり、ほぼ球形の形状を有するので、海水からの抵抗を押さえながら空間部２６の容積を広く確保することが可能である。これにより、空間部２６の内部で魚が回遊しやすくなり、魚の蝟集効果が向上する。
【００４０】
枠体２１は、水平方向を向く側面２８を有している。側面２８は、互いに対向する部分２８ａ、２８ｂを有しており、これらの側面２８ａ、２８ｂには、それぞれ互いに水平方向に離間する一対の横側連結金具２９が取り付けられている。
【００４１】
フロート収容部２２は、複数のフロート２３を収容可能な構成を有している。フロート収容部２２としては、例えば、上下端部が閉じた円柱状の鉄製容器などが用いられる。本実施形態のフロート収容部２２は、円柱形状であるので、魚が枠体２１の空間部２６内部を回遊するときにフロート収容部２２の周面に沿って円滑に回遊できる。
【００４２】
フロート収容部２２の上端部および下端部は、鋼材などからなる井桁状の連結部２５を介して枠体２１に連結されている。
【００４３】
フロート収容部２２内部には、複数のフロート２３が収容されている。フロート収容部２２内部にフロート２３を収容することにより、フロート２３に貝などの付着物が付きにくくなり、フロート２３の浮力の低下を抑えることができる。フロート２３の形状、数量については本発明ではとくに限定されないが、フロート収容部２２内部に収容された複数のフロート２３の浮力によって、魚礁本体２が海中Ｓで浮くことができればよい。また、フロート収容部２２の内部には、複数のフロート２３とともに海水などの液体も収容されている。
【００４４】
フロート収容部２２は、枠体２１の重心Ｏ（図５参照）を通って垂直方向に延びるように設置されている。これにより、フロート収容部２２に収容されたフロート２３を枠体２１の重心Ｏに近づけて配置することが可能になり、魚礁本体２がフロート２３の浮力によって傾いたりするなどの魚礁本体２の重心Ｏ周りの回転や揺れを有効に抑えることが可能である。
【００４５】
複数のフロート２３は、魚を蝟集する空間部２６から隔離されたフロート収容部２２の内部空間に収容されているので、空間部２６内部に蝟集された魚と接触して当該フロート２３および魚の双方が損傷するおそれが解消される。
【００４６】
また、枠体２１の上部の日光が当たりやすい位置には、海藻の養生を促す海藻養生部２４が適宜設けられている。海藻養生部２４は、海藻が生育しやすい形状であればよく、例えば網状体などを備えている。海藻養生部２４に海藻が生育すれば、海藻が枠体２１の空間部２６内部へ向かう日光を遮り、空間部２６内部が日陰になるので、当該空間部２６に魚が集まりやすくなる。
【００４７】
下方向索３は、化学繊維製のロープや鋼製のワイヤなどからなる線状部材であり、魚礁本体２から下方に延びるように当該魚礁本体２の下部に下側連結部８を介して取り付けられている。具体的には、下側連結部８は、下方向索３を魚礁本体２に連結するものであり、複数（図１〜２では２本）の連結索８ａ、８ｂを備えている。連結索８ａ、８ｂのそれぞれは、下方向索３と魚礁本体２とを連結している。これら連結索８ａ、８ｂは、魚礁本体２の下端部において互いに水平方向に離間して配置された複数（図１〜２では一対）の下側連結金具２７にそれぞれ連結されている。これにより、横方向索５が魚礁本体２を拘束する力は、一対の連結索８ａ、８ｂを介して魚礁本体２に対して互いに水平方向に離れた複数の位置に分散して作用するので、魚礁本体２の横方向の揺れ抑制する効果を向上させることが可能である。
【００４８】
連結索８ａ、８ｂは、下方向索３に対してブラケットなどを介して着脱自在に連結されてもよいし、または下方向索３と溶接などによって連結されて当該下方向索３と一体になっていてもよい。
【００４９】
下側アンカー４は、下方向索３の下端部に取り付けられる。具体的には、下側アンカー４の上面には、Ｕ字状またはリング状の取付部４ａが設けられ、当該取付部４ａには、下方向索３の下端部が連結されている。下側アンカー４は、海底Ｇに配置されることにより下方向索３を介して魚礁本体２を当該海底Ｇに係留する。下側アンカー４の重量は、魚礁本体２が浮かないように、魚礁本体２の浮力（具体的にはその浮力により浮上可能な重量）から当該魚礁本体２の重量を引いた分よりも大きくなるように設定されている。
【００５０】
一対の横方向索５のそれぞれは、第１端部５１および第２端部５２を有する化学繊維製のロープや鋼製のワイヤなどからなる長尺の線状部材である。一対の横方向索５は、魚礁本体２から側方に離れる方向に延びるように、第１端部５１が魚礁本体２における側面２８のうち互いに対向する部分２８ａ、２８ｂに横側連結部９を介してそれぞれ取り付けられている。具体的には、横側連結部９は、横方向索５を魚礁本体２に連結するものであり、下側連結部８と同様に、複数（図１〜２では２本）の連結索９ａ、９ｂを備えている。連結索９ａ、９ｂのそれぞれは、横方向索５と魚礁本体２とを連結している。これら連結索９ａ、９ｂは、魚礁本体２の側面２８の対向する部分２８ａ、２８ｂにおいて互いに水平方向に離間して配置された複数（図１〜２では一対）の横側連結金具２９にそれぞれ連結されている。これにより、横方向索５が魚礁本体２を拘束する力は、一対の連結索９ａ、９ｂを介して魚礁本体２に対して互いに水平方向に離れた複数の位置に分散して作用するので、魚礁本体２の横方向（水平方向）の回転を抑制効果を向上させる。
【００５１】
連結索９ａ、９ｂは、横方向索５に対してブラケットなどを介して着脱自在に連結されてもよいし、横方向索５と溶接などによって連結されて当該横方向索５と一体になっていてもよい。
【００５２】
また、魚礁本体２は、下方向索３によって下部が拘束されているが、潮の流れなどによって、魚礁本体２は、その下部における下方向索３の取付位置を回転中心として揺れようとする場合がある。この場合、魚礁本体２の上部は回転中心から離れているので揺れ幅が大きくなるおそれがある。そこで、本実施形態では、横方向索５は、魚礁本体２の側面２８ａ、２８ｂのうち当該魚礁本体２の高さ方向における中間位置よりも上の部分に取り付けられている。そのため、魚礁本体２の上部の揺れ幅を抑制することが可能である。
【００５３】
なお、本実施形態のように横方向索５が魚礁本体２の高さ方向における中間位置よりも上の部分に取り付けられる構造では、魚礁本体２の大型の場合（例えば、高さ５ｍ程度の略球体の場合）には、魚礁本体２を地上または船の甲板上に置いて横方向索５の取付作業を行うときに、横方向索５の取付位置が作業者の手の届かない高さ（３ｍ程度）になることがある。そのような場合には、あらかじめ施工前に、横側連結部９の連結索９ａ、９ｂを魚礁本体２の横側連結金具２９に連結しておき、施工時にこれら連結索９ａ、９ｂと横方向索５とをブラケットなどを介して後から連結できるようにすれば、横方向索５の取付作業が容易になる。
【００５４】
横側アンカー６は、各々の横方向索５の第２端部５２に取り付けられ、海底Ｇにおける下側アンカー４に対して水平方向に離間した位置に配置されることにより、横側アンカー６は、横方向索５を介して魚礁本体２を海底Ｇに係留する。具体的には、横側アンカー６が配置される位置は、図２に示されるように、横側アンカー６と下側アンカー４との距離Ｌ２が海底Ｇから魚礁本体２の下面までの距離Ｌ１の２倍以上（好ましくは３倍以上）になるように設定されている。これにより、浮魚礁１を海中Ｓに施工する際に、横側アンカー６および横方向索５を設置しやすくなる。すなわち、横側アンカー６を下側アンカー４に近い位置に設置しようとすれば、潮の流れによっては横方向索５が下方向索３に接触したりからんだりするおそれがあるが、上記のように、横側アンカー６を下側アンカー４から十分に離れた位置に配置すれば、横方向索５と下方向索３との干渉を避けながら、横側アンカー６および横方向索５を容易に設置することが可能になる。
【００５５】
横側アンカー６の上面には、下側アンカー３と同様に、Ｕ字状またはリング状の取付部６ａが設けられている。取付部６ａには、横方向索５の側面２８ａ、２８ｂに連結されている。横側アンカー６の重量は、魚礁本体２の水平方向の回転を抑制することが可能な横方向索５の張力を発生することが可能な重量であればよい。なお、横側アンカー６の重量は、下側アンカー４の重量よりも小さくてもよい。
【００５６】
本実施形態では、一対の横方向索５は、潮の流れの方向Ｄに対する水平方向の傾斜角θ（図３参照）が±４５度以内（すなわち、魚礁本体２の側方における全方向の半分をカバーする範囲）の方向Ｅ(図３では潮の流れの方向Ｄと平行な方向)に配置されているので、海中Ｓの潮の流れの影響を受けにくい。とくに、図３のように、一対の横方向索５が潮の流れの方向Ｄと平行な方向に配置されていれば、海中Ｓの潮の流れの影響を最も受けにくくなる。
【００５７】
中間フロート７は、横方向索５における第１端部５１と第２端部５２との間の部位に浮力を与える浮力付与部であり、横方向索５における第１端部５１と第２端部５２との間に取り付けられている。具体的には、中間フロート７は、複数のフロート体７ａを備えている。複数のフロート体７ａは、横方向索５の延びる方向に沿って並び、かつ、各フロート体７ａが横方向索５に個別に取り付けられている。各フロート体７ａは、その側面が横方向索５に密着するように取り付けられている。
【００５８】
中間フロート７は、図２および図１０に示されるように、横方向索５において、当該中間フロート７から魚礁本体２までの距離Ｌ３が当該中間フロート７から海底Ｇまでの距離Ｌ４の２倍以上になるような位置に配置され、すなわち、横側アンカー６に近い位置に配置されている。これにより、海中Ｓにおける中間フロート７の移動量が制限される。
【００５９】
なお、本実施形態では、横方向索５における第１端部５１と第２端部５２との間の部位に浮力を与える浮力付与部の一例として、中間フロート７を例にあげて説明したが、本発明はこれに限定されるものではなく、横方向索５における第１端部５１と第２端部５２との間の部位に浮力を与えるものであれば種々の形態の浮力付与部を採用してもよい。例えば、横方向索５の全長にわたって浮力を持たせるための海水よりも比重の軽いロープや線材なども浮力付与部として採用してもよい。
【００６０】
（本実施形態の浮魚礁１の特徴）
（１）
以上のように、本実施形態の浮魚礁１では、魚礁本体２は、その下部に取り付けられた下方向索３を介して下側アンカー４に係留され、それとともに、当該魚礁本体２における側面２８ａ、２８ｂにそれぞれ取り付けられた複数の横方向索５を介して横側アンカー６にそれぞれ係留される。複数の横方向索５のそれぞれの第１端部５１は、魚礁本体２の側面２８ａ、２８ｂに取り付けられ、当該第１端部５１同士は互いに水平方向に離間した位置に配置されている。そのため、魚礁本体２は、その下部に取り付けられた下方向索３で支持されるだけでなく、当該魚礁本体２の側面２８ａ、２８ｂにおける複数の位置から複数の横方向索５で支持される。その結果、魚礁本体２は多方向から支持され、海中Ｓに浮かぶ魚礁本体２の動きを制限することが可能になる。それにより、魚礁本体２における横方向（水平方向）の回転を防ぎ、下方向索３の撚れやねじれを防止することが可能である。さらに、下方向索３とともに複数の横方向索５を用いて魚礁本体２を係留することにより、下方向索３に作用する負荷を低減することにより当該下方向索３の疲労の軽減が可能になる。
【００６１】
そして、このような下方向索３および複数の横方向索５を介して魚礁本体２を係留する構造において、横方向索５は、中間フロート７から浮力を受けることによって、魚礁本体２と横側アンカー６との間において張力を受けた状態で張り渡されるので、横方向索５のたるみを抑制することが可能である。その結果、横方向索５と下方向索３とがこすれ合ったり、からんだりするおそれがなく、これら下方向索３および横方向索５が互いに干渉し合うことによる疲労も防ぐことが可能である。その結果、浮魚礁１を安定して長期間使用することが可能である。
【００６２】
（２）
本実施形態の浮魚礁１では、複数の横方向索５は、魚礁本体２における側面２８ａ、２８ｂのうち互いに対向する部分にそれぞれ取り付けられた一対の横方向索５を含んでいる。このため、一対の横方向索５が魚礁本体２の側面２８ａ、２８ｂにおける対向する部分の両側から当該魚礁本体２を支持することが可能になるので、少ない本数の横方向索５によって、魚礁本体２における垂直軸周りの横方向（水平方向）の回転を有効に抑え、当該回転に起因する下方向索３のねじれを防止することが可能である。つまり、横方向索５の本数を抑えながら魚礁本体２の回転に起因する下方向索３の損傷を抑止できる。
【００６３】
なお、本実施形態では、魚礁本体２の側面２８に取り付けられた複数の横方向索５の一例として、一対の横方向索５を例に挙げているが、本発明はこれに限定されるものではなく、複数の横方向索５は、一対の横方向索５を含むだけでなく、３本以上で構成されてもよい。例えば、４本の横方向索５を魚礁本体２の側面２８から４方向に放射状に延びるように当該側面２８に取り付けられてもよい。
【００６４】
（３）
本実施形態の浮魚礁１では、一対の横方向索５は、潮の流れの方向Ｄに対する水平方向の傾斜角θが±４５度以内の方向Ｅ（例えば、図３のように海中Ｓの潮の流れの方向Ｄと平行）に配置されているので、一対の横方向索５が潮の流れの影響を受けにくい。それにより、これら横方向索５が潮の流れの中で常時安定した配索状態を維持することが可能である。
【００６５】
（４）
本実施形態の浮魚礁１では、中間フロート７は、横方向索５において、当該中間フロート７から魚礁本体２までの距離Ｌ３が当該中間フロート７から海底Ｇまでの距離Ｌ４の２倍以上になるような位置に配置されている。
【００６６】
かかる構成によれば、中間フロート７と魚礁本体２との距離Ｌ３を長くするとともに、中間フロート７と横側アンカー６が設置された海底Ｇとの距離Ｌ４を短くすることにより、横側アンカー６によって中間フロート７の移動を制限し、さらには中間フロート７によって魚礁本体２の回転を制限する。すなわち、中間フロート７は、横側アンカー６に近い位置に配置されるので、中間フロート７と横側アンカー６との間の横方向索５の部分が短くなり、その結果、中間フロート７が横側アンカー６周囲で水平方向に移動可能な範囲が大幅に制限される。そのため、魚礁本体２が垂直軸周りに回転しようとした場合に、中間フロート７は魚礁本体２に追随して移動する量が大幅に制限され、その結果、魚礁本体２は、中間フロート７と魚礁本体２との間に張り渡された横方向索５の部分によって垂直軸周りの回転を大幅に制限される。また、魚礁本体２の回転が大幅に制限されることにより、下方向索３と横方向索５とが絡むおそれもさらに低減される。
【００６７】
（５）
本実施形態の浮魚礁１では、中間フロート７は、複数のフロート体７ａを備えており、中間フロート７は、複数のフロート体７ａが横方向索５の延びる方向に沿って並び、かつ、各フロート体７ａが横方向索５に個別に取り付けられている。かかる構成によれば、横方向索５は、中間フロート７を構成する複数のフロート体７ａから浮力を分散して受けることが可能になるので、当該浮力が横方向索５に対して一点に集中することを防止し、その結果、横方向索５のキンクなどの発生することを防ぐことが可能である。しかも、横方向索５のうち複数のフロート体７ａが当該横方向索５の延びる方向に沿って並んで取り付けられている部分は、複数のフロート体７ａのそれぞれから浮力を常時受けているので、当該部分の変形の速度は緩やかになる。その結果、浮魚礁１全体への衝撃的な外力をこの部分で緩やかに吸収することが可能になる。
【００６８】
（６）
本実施形態の浮魚礁１は、横方向索５を魚礁本体２に連結する横側連結部９を備えており、横側連結部９は、複数の連結索９ａ、９ｂを備えており、複数の連結索９ａ、９ｂのそれぞれは、横方向索５と魚礁本体２とを連結し、複数の連結索９ａ、９ｂのそれぞれにおける魚礁本体２に対する取付位置は、互いに水平方向に離れている。かかる構成によれば、横方向索５が魚礁本体２を拘束する力は、横側連結部９を構成する複数の連結索９ａ、９ｂを介して魚礁本体２に対して互いに水平方向に離れた複数の位置に分散して作用するので、より多くの方向から魚礁本体２を支持することが可能になる。その結果、魚礁本体２の横方向（水平方向）の回転を抑制する効果をさらに向上させることが可能である。
【００６９】
（７）
本実施形態の浮魚礁１では、横方向索５は、魚礁本体２の側面２８ａ、２８ｂのうち当該魚礁本体２の高さ方向における中間位置よりも上の部分に取り付けられている。そのため、潮の流れなどによって、魚礁本体２が、下方向索３との取付位置を回転中心として揺れようとしても、魚礁本体２の中間位置よりも上に取り付けられた横方向索５によって当該魚礁本体２の上部の揺れ幅を抑制することが可能である。
【００７０】
（浮魚礁１の施工方法についての説明）
つぎに、図６〜１０を参照しながら本実施形態の浮魚礁１を海中に施工する方法を説明する。なお、図６〜１０では浮魚礁１の構造を簡略化するために、下側連結部８および横側連結部９を省略するとともに、魚礁本体２および中間フロート７の形状を１個の丸形形状の物に簡略化されている。
【００７１】
まず、海上で施工作業を始める前に、事前に陸上で中間フロート７を横方向索５に取り付ける。
【００７２】
ついで、図６に示されるように、クレーン船Ａの船上で、魚礁本体２の下部に下方向索３を取り付けるとともに、当該下方向索３の下端部に下側アンカー４を取り付ける。なお、これらの作業は、陸上で行ってもよい。
【００７３】
それとともに、横方向索５の取付けも行う。すなわち、中間フロート７が取り付けられた一対の横方向索５のそれぞれの第１端部５１（図１参照）を、魚礁本体２の側面２８の例えば互いに対向する部分２８ａ、２８ｂにおける当該第１端部５１同士が互いに水平方向に離間した位置に取り付ける。なお、この作業も陸上で行ってもよい。
【００７４】
ついで、図６に示されるように、クレーン船Ａから魚礁本体２を海中Ｓに沈めていき、下側アンカー４および魚礁本体２を下方向索３で連結した状態で海中Ｓに沈降させる。下側アンカー４を海底Ｇに着地させることにより、魚礁本体２を海中Ｓに浮いた状態で下方向索３を介して下側アンカー４に係留する（図７参照）。魚礁本体２は、このとき、海底Ｇから所定の距離Ｌ１だけ離れた位置に浮かぶ。
【００７５】
そして、図７に示されるように、一対の横方向索５のうちの一方（図７の左側）の横方向索５の第２端部５２に横側アンカー６を取り付ける。
【００７６】
ついで、図７に示されるように、クレーン船Ａを下側アンカー４の位置から離れるように、横側アンカー６の設置予定の位置まで左へ移動する。このとき、横方向索５を順次海中Ｓへ投入していく。なお、一対の横方向索５のうちの他方（図７の右側）の横方向索５の第２端部５２は、クレーン船Ａとは別に準備した作業船Ｂに載せて待機した状態にしておく。
【００７７】
そして、図７〜８に示されるように、横側アンカー６を横方向索５がつながった状態で海中Ｓに沈降させて、横側アンカー６を下側アンカー４から水平方向に離れた位置で海底Ｇに着地させることにより、魚礁本体２を横方向索５を介して横側アンカー６に係留する。横側アンカー６の位置は、横側アンカー６と下側アンカー４との距離Ｌ２が海底Ｇから魚礁本体２の下面までの距離Ｌ１の２倍以上（好ましくは３倍以上）になるような位置に設定されている。例えば、水深Ｌ０が８０ｍ程度の場合には、距離Ｌ１は４０ｍ程度、距離Ｌ２は、１６０ｍ程度に設定される。
【００７８】
そして、図９〜１０に示されるように、一対の横方向索５のうちの他方（図７の右側）の横方向索５についても上記と同様に、横方向索５の第２端部５２に横側アンカー６を取り付けて、下側アンカー４から距離Ｌ２を離れた位置に横側アンカー６を海中Ｓに沈降させる。
【００７９】
以上のように本実施形態の施工方法では、まず、下側アンカー４および魚礁本体２を下方向索３で連結した状態で海中Ｓに沈降させて、魚礁本体２を海中Ｓに浮いた状態で下方向索３を介して下側アンカー４に係留する。そして、横側アンカー６を、下側アンカー４に対して水平方向に離れた位置に配置するように、海中Ｓに沈降させることにより、魚礁本体２を横方向索５を介して横側アンカー６に係留する。このとき、横方向索５は、当該横方向索５に取り付けられた中間フロート７から浮力を受けることによって、魚礁本体２と横側アンカー６との間において、張力を受けた状態で張り渡されるので、海中Ｓにおける横方向索５のたるみを抑制することが可能である。これにより、浮魚礁１の施工途中および施工後においても、横方向索５と下方向索３とがこすれ合ったり、からんだりするおそれがない。その結果、浮魚礁１の施工後では、海中Ｓに浮かぶ魚礁本体２の動きを制限しながらも下方向索３および横方向索５の疲労を軽減することが可能である。
【００８０】
（浮魚礁１の回収方法についての説明）
つぎに、図１１〜１７を参照しながら本実施形態の浮魚礁１の回収方法を説明する。なお、図１１〜１７においても、図６〜１０と同様に、浮魚礁１の構造を簡略化するために、下側連結部８および横側連結部９を省略するとともに、魚礁本体２および中間フロート７の形状を丸形形状に簡略化されている。
【００８１】
まず、図１１に示されるように、２つの横側アンカー６のうちの一方(図１１の左側）の横側アンカー６と魚礁本体２との間に挟まれた範囲まで作業船Ｂを移動させ、そして、先端が上に反ったかぎ針状の引掛け金具Ｃをロープを付けた状態で海中Ｓに沈める。さらに、作業船Ｂを移動させながら引掛け金具Ｃを海中Ｓで水平方向に移動させ、当該引掛け金具Ｃを横側アンカー６と魚礁本体２とを連結する横方向索５に引掛ける。
【００８２】
そして、引掛け金具Ｃをダイバーが潜水作業をすることが可能な水深Ｌ５（例えば２５ｍ程度）まで引き上げる。
【００８３】
ついで、ダイバーは、海中Ｓで横方向索５を切断作業を行う。具体的には、まず、フロートＦが付いた２本の引き揚げ用ロープＲを横方向索５に対して上記引掛け金具Ｃの両側の位置にそれぞれ取り付け、その後、横方向索５を第１端部５１と第２端部５２との間の位置、具体的には引掛け金具Ｃの付近の位置で横方向索５を切断する。
【００８４】
つぎに、図１３に示されるように、切断された横方向索５のうち横側アンカー６に取り付けられた部分５ａを用いて、横側アンカー６を海中Ｓからクレーン船Ａへ引き上げる。
なお、切断された横方向索５のうち魚礁本体２に取り付けられた部分５ｂの端部は、フロートＦによって海面に浮いている。部分５ｂの上端部は、フロートＦ付近で束ねられた状態にしておく。
【００８５】
作業船Ｂは、横方向索５の部分５ａが取り付けられた引き揚げ用ロープＲをクレーン船Ａへ渡した後、ダイバーとともに引き続き、他方（図１３の右側）の横側アンカー６と魚礁本体２との間へ移動して、上記の図１２に示される同様の手順で、横方向索５を切断する。
【００８６】
そして、図１４に示されるように、上記の図１３に示される同様の手順で、切断された横方向索５のうち横側アンカー６に取り付けられた部分５ａを用いて、他方の横側アンカー６も海中Ｓからクレーン船Ａへ引き上げる。この作業をする間、作業船Ｂに居る作業者は、フロートＦによって浮いている２本の横方向索５における魚礁本体２にそれぞれ取り付けられた部分５ｂ同士が絡まないように監視する。
【００８７】
ついで、図１５に示されるように、作業船Ｂは、魚礁本体２に取り付けられている横方向索５の部分５ｂをクレーン船Ａに渡す。
【００８８】
その後、図１５〜１７に示されるように、切断された横方向索５のうち魚礁本体２に取り付けられた部分５ｂを用いて、魚礁本体２および下側アンカー４を引き上げる。
【００８９】
具体的には、まず、図１５に示されるように、クレーン船Ａは、巻上げ用ローラＰで魚礁本体２の両側の横方向索５の部分５ｂをそれぞれ均等に力がかかるようにして引き上げる。
【００９０】
その後、図１６に示されるように、魚礁本体２が海面近くに来たら、一旦、魚礁本体２を静止させる。そして、ダイバーは、クレーンＣの引き揚げワイヤーＷを魚礁本体２に取り付ける。ついで、クレーンＣで魚礁本体２を海上まで引き揚げた後、横方向索５の部分５ｂを魚礁本体２から取り外す。そして、ダイバーは、引き揚げ用ロープＲを下方向索３に取り付ける。
【００９１】
そして、引き揚げ用ロープＲを巻上げ用ローラＰで巻き上げる。このとき、引き揚げ用ロープＲの巻き上げが進行して、下方向索３における魚礁本体２に取り付けられた部分が緩んだら、その緩んだ部分で下方向索３を魚礁本体２から切り離す。
【００９２】
その後、図１７に示されるように、魚礁本体２をクレーンＣによってクレーン船Ａの甲板の所定位置に設置する。そして、引き揚げ用ロープＲおよび下方向索３を巻上げ用ローラＰで巻き上げることにより、下側アンカー４を海面近くまで引き上げて静止させる。その後、クレーンＣの引き揚げ用ワイヤーＷをダイバーにより、下側アンカー４に取り付ける。最後に、クレーンＣによって下側アンカー４をクレーン船Ａの甲板の所定位置に設置することにより、浮魚礁１の回収作業が終了する。
【００９３】
上記のように、本実施形態の浮魚礁１の回収方法は、上記の浮魚礁１を海中Ｓから回収する方法であって、海中Ｓで横方向索５を第１端部５１と第２端部５２との間で切断する工程と、切断された横方向索５のうち横側アンカー６に取り付けられた部分を用いて、横側アンカー６を海中Ｓから引き上げる工程と、切断された横方向索５のうち魚礁本体２に取り付けられた部分を用いて、魚礁本体２および下側アンカー４を引き上げる工程とを含む。かかる特徴によれば、横方向に延びる横方向索５を第１端部５１と第２端部５２との間で部分５ａ、５ｂに切断する。そして、切断された横方向索５の部分５ｂを用いて、両側の横側アンカー６を引き上げるとともに、さらに、切断された横方向索５の部分５ａを用いて、魚礁本体２および下側アンカー４を同時に引き上げることができる。その結果、浮魚礁１の回収の際に横側アンカー６、魚礁本体２および下側アンカー４をそれぞれ引き上げるためにこれら横側アンカー６等に別途ロープを取り付ける必要がないので、浮魚礁１の回収を容易に行うことが可能である。
【００９４】
また、本実施形態の浮魚礁１の回収方法は、横方向索５を切断する前に、横方向索５を切断する箇所の両側にそれぞれフロートＦを取り付ける工程をさらに含んでいる。そのため、切断後の横方向索５の端部はフロートＦが取り付けられているので、横方向索５の端部の発見が容易になり、浮魚礁１の回収がさらに容易になる。
【符号の説明】
【００９５】
１  浮魚礁
２  魚礁本体
３  下方向索
４  下側アンカー
５  横方向索
６  横側アンカー
７  中間フロート(浮力付与部)
７a  フロート体
８  下側連結部
９  横側連結部
２１  枠体
２２  フロート収容部
２３  フロート
２６  空間部
Ｄ  潮の流れの方向
Ｇ  海底
Ｓ  海中
【図１】
0006474639.tif 000002
【図２】
0006474639.tif 000003
【図３】
0006474639.tif 000004
【図４】
0006474639.tif 000005
【図５】
0006474639.tif 000006
【図６】
0006474639.tif 000007
【図７】
0006474639.tif 000008
【図８】
0006474639.tif 000009
【図９】
0006474639.tif 000010
【図１０】
0006474639.tif 000011
【図１１】
0006474639.tif 000012
【図１２】
0006474639.tif 000013
【図１３】
0006474639.tif 000014
【図１４】
0006474639.tif 000015
【図１５】
0006474639.tif 000016
【図１６】
0006474639.tif 000017
【図１７】
0006474639.tif 000018